(57)【要約】【課題】  産業廃棄物の焼却炉において、焼却物投入ホッパーのカバー部に産業廃棄物の中に含まれているテープ等の長尺物が引掛かり、これが原因で投入ホッパーのダンパーが動作異状を来すことがある。本発明は構成が簡潔で、効果的に投入ホッパーのカバー部に引っ掛かった長尺物を切断する装置を提供することを課題とする。【解決手段】  焼却物投入ホッパー１０のカバー部１１の外面にカバー部の幅方向に往復動可能な長尺テープ類引寄装置１２を設置し、この長尺テープ類引寄装置１２によって前記カバー部に垂れ下がった長尺物をカバー部１１の端に寄せ集め、カバー部１１の端に設けたカッター１６によって切断し、切り落すようにした。  そして長尺テープ類引寄装置１２は、長尺テープ類を前記カバー部１１の外面を横方向に往復動可能な可動板１２１と、カバー部の外面に設けた可動板駆動軸１２２と、可動板駆動軸と並行して設けた可動板ガイド軸１２３とからなる。【選択図】      図１
2008286499.tif 000002
【特許請求の範囲】
【請求項１】
焼却物投入ホッパーのカバー部外面に、前記カバー部の幅方向に往復動可能に設けた長尺テープ類引寄装置を設置し、前記長尺テープ類引寄装置によって前記カバー部に垂れ下がった長尺テープ類をカバー部の片端に寄せ集め、カバー部の端に設けたカッターによって切断して切り落すようにしたことを特徴とする焼却物投入ホッパーにおける長尺テープ類のカッター装置。
【請求項２】
前記長尺テープ類引寄装置は、前記長尺テープ類を引寄せるための前記カバー部の外面で横方向に往復動可能な可動板と、前記カバー部の外面に設けた可動板駆動軸と、前記可動板駆動軸と並行して設けた可動板ガイド軸とからなる請求項１記載の焼却物投入ホッパーにおける長尺テープ類のカッター装置。
【請求項３】
前記可動板を駆動する可動板駆動軸は、前記カバー部の片側に設けた正逆転可能なモータで回転駆動されるボールねじ軸であって、該ボールねじ軸に対し、前記可動板に取付けたボールナットを噛み合せることで前記可動板を駆動し、かつ前記可動板は、前記可動板に取付けたボール軸受けを介し前記可動板ガイド軸上を案内されて横移動するようにした請求項１記載の焼却物投入ホッパーにおける長尺テープ類のカッター装置。
【請求項４】
前記カッターは、前記カバー部の前記モータと対向する側に設けたチェーンソーである請求項１記載の焼却物投入ホッパーにおける長尺テープ類のカッター装置。
【請求項５】
前記チェーンソーは前記カバー部の側方位置に設けた端板に明けた窓孔を介し、前記長尺テープ類の切断位置と非切断位置との間を回動可能に設けられた請求項４記載の焼却物投入ホッパーにおける長尺テープ類のカッター装置。
【請求項６】
前記チェーンソーの回動は、前記カバー部の端板の側部に設けたシリンダによって行うことを特徴とする請求項５記載の焼却物投入ホッパーにおける長尺テープ類のカッター装置。
【請求項７】
前記チェーンソーの駆動は、前記モータによって駆動される往復動可能な可動板の駆動と同期して駆動されることを特徴とする請求項６記載の焼却物投入ホッパーにおける長尺テープ類のカッター装置。
【発明の詳細な説明】
【技術分野】
【０００１】
本発明は産業廃棄物の焼却炉において、焼却物投入ホッパーにおける長尺テープ類のカッター装置に関するものである。
【背景技術】
【０００２】
投入クレーンによりピット（図３参照）からつかみ上げ、これを投入ホッパーの上方から投入ホッパーに落すとき、産業廃棄物の中には、樹脂テープ類や紐あるいは長尺の包装紙をロール状に巻いたものなど（以下長尺テープ類という）が混入しており、これら長尺テープ類が投入ホッパーのカバー部に長々と垂れ下る。するとこれら長尺テープ類が投入ホッパー下部のダンパーに挟まり、ダンパーの動作不良を生じ、焼却炉への投入が不可能になることがある。
【発明の開示】
【発明が解決しようとする課題】
【０００３】
このように、投入ホッパーのカバー部に産業廃棄物の中に含まれる長尺テープ類が引掛かり、投入ホッパーの動作異状を来すことのない、構成が簡潔で作動の確実な長尺テープ類のカッター装置を提供することを課題とする。
【課題を解決するための手段】
【０００４】
このような課題を解決すべく、本発明は、焼却物投入ホッパーのカバー部外面にカバー部の幅方向に往復動可能な長尺テープ類引寄装置を設置し、前記引寄装置によって、前記カバー部に垂れ下がった長尺テープ類を、カバー部の端に寄せ集め、カバー部の端に設けたカッターによってこれを切断して切落すようにしたことを特徴とする。
【０００５】
そして長尺テープ類のカッター装置の前記長尺テープ類引寄装置は、前記長尺テープ類を引寄せるための前記カバー部の外面を横方向に往復動可能な可動板と、前記カバー部の外面に設けた可動板駆動軸と、前記可動板駆動軸と並行して設けた可動板ガイド軸とからなることが好ましい。
【０００６】
また、前記可動板駆動軸は、前記カバー部の片側に設けた正逆転可能なモータで回転駆動されるボールねじ軸であって、前記可動板は前記可動板に取付けたボールナットを、前記ボールねじ軸と噛み合せることで駆動され、かつ前記可動板に取付けたボール軸受けを介し前記可動板ガイド軸上を案内されてスムーズに横移動することが好ましい。
【０００７】
そして、前記長尺テープ類のカッターは、前記カバー部の前記モータと対向する側に設けたチェーンソーであることが好ましい。
【０００８】
そしてまた、前記チェーンソーは前記カバー部の側方位置に設けた端板に明けた窓孔を介し、前記長尺テープ類の切断位置と非切断位置との間を回動可能に設けられていることが好ましい。
【０００９】
さらに、前記チェーンソーの回動は、前記カバー部の端板の側部に設けたシリンダによって行うことが好ましい。
【００１０】
さらにまた、前記長尺テープ類引寄装置において、前記チェーンソーの駆動は、前記モータによって駆動される往復動可能な可動板の駆動と同期して駆動され、長尺テープ類が片側に引寄せられたところで、チェーンソーが４５°回動して切断し、終ったならば元に戻るようにすると良い。
【発明の効果】
【００１１】
本発明は、焼却物投入ホッパーのカバー部外面に幅方向に往復動可能な長尺テープ類引寄装置を設置し、前記長尺テープ類引寄装置によって、前記カバー部に垂れ下がった長尺テープ類を、カバー部の片端に寄せ集め、カバー部の端に設けたカッターによって切断して切り落すようにした。
【００１２】
このような構成にしたので、投入ホッパーのカバー部に産業廃棄物の中に含まれる長尺テープ類が引掛かっても、カッターで切断して下に切り落すので、垂れ下がりがなくなり、投入ホッパーに設けたダンパーが動作異状を来すことがなくなった。
【００１３】
そして長尺テープ類の切断装置における前記長尺テープ類引寄装置は、前記長尺テープ類を前記カバー部の外面を横方向に往復動可能な可動板と、前記カバー部の外面に設けた可動板駆動軸と、前記可動板駆動軸と並行して設けた可動板ガイド軸とで構成した。
【００１４】
このような構成であるので、可動板は可動板ガイド軸によってスムーズにガイドされ、長尺テープ類を可動板によってカバー部の片側から、他側に向って引寄せたのち、可動板とカバー部端部とでサンドイッチ状に圧縮した状態で、カッターによって切断することができる。
【００１５】
このように極めて簡潔な構成で、投入ホッパーのダンパーの動作をトラブルなく作動させることが可能となった。
【００１６】
また、前記可動板駆動軸は、前記カバー部の片側に設けた正逆転可能なモータで駆動されるボールねじ軸であって、前記可動板は可動板に取付けたボールナットを前記ボールねじ軸と噛み合せることで駆動され、かつ前記可動板に取付けたボール軸受けを介し、前記可動板ガイド軸上を案内されてスムーズに横移動するようにした。
【００１７】
この構成により、長尺テープ類を引寄せる可動板がスムーズに作動するので、投入ホッパー部の作動の円滑化に効果的である。
【００１８】
そして、前記カッターを、前記カバー部の片側に設けた前記モータと対向する側に設けたチェーンソーとした。
そして、前記チェーンソーは前記カバー部の側方位置に設けた端板に明けた窓孔を介し、前記長尺テープ類の切断位置と非切断位置との間を回動可能に設置した。
【００１９】
さらに、前記チェーンソーの回動は、前記カバー部の端板の側部に設けたシリンダによって行い、切断位置と非切断位置の間を約４５°に跨って回動可能にした。
この構成により切断の必要なときのみチェーンソーは現れ、必要のないときは、カバー部から離れるので、投入ホッパー部の作動に影響を及ぼすことがない。
【００２０】
さらにまた、前記チェーンソーの駆動は、前記モータによって駆動される往復動可能な可動板の駆動と、同期して駆動されるようにしたので、長尺テープ類の引寄せと切断、そして切断後の原状復帰がスムーズに行われ、投入ホッパーの作動が極めてスムーズに行われるようになった。
【発明を実施するための最良の形態】
【００２１】
以下本発明の実施の形態について図に基いて説明する。
本発明の実施の形態に係る焼却物投入ホッパーにおける長尺テープ類のカッター装置は、図１に示すように、カバー部１１の幅方向に往復動可能な長尺テープ類引寄装置１２を設置し、焼却物１３の投入ホッパー１０のカバー部１１の外面、即ち投入クレーン１５がピットＰ（図４）から焼却物をつかみ上げて投入ホッパー１０に投入する際に通る側に、前記長尺テープ類引寄装置１２によって前記カバー部１１に引掛かって垂れ下がった長尺テープ類１４をカバー部１１の片側に寄せ集め、カバー部１１の端に設けたカッター１６によって切断し、投入ホッパー側から切断してピットＰ側に落下させるようにしたことを特徴とする。
【００２２】
そして前記長尺物テープ類引寄装置１２は、前記長尺テープ類１４を前記カバー部１１の外面で横方向に往復動可能な可動板１２１と、前記カバー部１１の外側に設けた正逆回転可能なモータ１７で駆動される可動板駆動軸１２２と、前記可動板駆動軸１２２と並行して設けた可動板ガイド軸１２３とで構成されている。
【００２３】
前記可動板１２１を往復動させる可動板駆動軸１２１は、前記カバー部１２の片側（図１の左側）に設けた正逆回転可能なモータ１７で駆動されるボールねじ軸で構成されている。そして前記可動板１２１は該可動板１２１に取付けたボールナット１２４を前記可動板駆動軸１２２と噛み合せることで駆動され、かつ前記可動板１２１に取付けたボール軸受１２５を介し前記可動板ガイド軸１２３上を案内されて横移動するようになっている。
【００２４】
そして、前記カッター１６は、前記カバー部１１の片側（図１左側）に設けた前記モータ１７と対向する側に設けられたチェーンソー１６１である。このチェーンソー１６１は前記カバー部１１の側方位置に明けた窓孔１６２を介して約４５°回動し、前記長尺テープ類１４の切断位置（図１）との非切断位置（図２（ｂ））との間を回動して出没可能にした。即ち長方形の窓孔１６２から出たとき長尺テープ類を切断し、切断が終れば引込んで、邪魔にならない位置におかれる。
【００２５】
前記チェーンソー１５１の回動は、前記カバー部１１の端板の側部に設けたシリンダ１６３によって行い、レバー１６４を介し駆動し、切断位置と非切断位置の間を約４５°に跨って回動可能になっている。
【００２６】
なお、前記チェーンソーの駆動は、前記モータによって駆動される往復動可能な可動板の駆動と同期して駆動される。このように同期して駆動することによって、長尺テープ類の引寄せと切断、そして切断後の元の位置への原状復帰がスムーズに行われる。
【図面の簡単な説明】
【００２７】
【図１】（ａ）はカバー部に設けた長尺テープ類のカッター装置の正面図、（ｂ）は（ａ）の右側面図である。
【図２】（ａ）は図１のｘ矢視平面図、（ｂ）はカッターの拡大図である。
【図３】投入ホッパー部の概略斜視図である。
【図４】焼却装置におけるホッパー部の位置を説明する概略図である。
【符号の説明】
【００２８】
１０  投入ホッパー
１１  カバー部
１２  長尺テープ類引寄装置
１２１  可動板
１２２  可動板駆動軸
１２３  可動板ガイド軸
１２４  ボールナット
１２５  ボール軸受
１３  焼却物
１４  長尺テープ類
１５  投入クレーン
１６  カッター
１６１  チェーンソー
１６２  窓孔
１７  モータ
Ｐ  ピット
【図１】
2008286499.tif 000003
【図２】
2008286499.tif 000004
【図３】
2008286499.tif 000005
【図４】
2008286499.tif 000006